(57)【要約】【課題】情報記録媒体の両面に記録された情報を光学的に読み取ることが可能な情報読取装置において、読み取られた情報記録媒体の画像に対する外光の影響を抑制することが可能になるとともに、情報読取装置に挿入された情報記録媒体を目視で確認することが可能であっても操作性を高めることが可能な情報読取装置を提供する。【解決手段】情報読取装置１は、情報記録媒体２が載置される載置部材３と、情報記録媒体２の下面の情報を読み取るための照明および光学系と、情報記録媒体２の上面の情報を読み取るための照明および光学系と、媒体挿入口１０ａが前面に形成される筐体１０と、一部の波長域の光を透過しかつその他の波長域の光を遮断するとともに媒体挿入口１０ａを覆うための半遮光部１１ａを有する半遮光部材１１とを備えている。半遮光部１１ａの光の透過率と波長との関係を示す透過率曲線は、可視光の波長域内にピークを有する曲線となっている。【選択図】図１
2019080221.tif 000002
【特許請求の範囲】
【請求項１】
情報記録媒体に記録された情報を光学的に読み取る情報読取装置であって、
前記情報記録媒体が載置される透明な載置部材と、前記載置部材に載置される前記情報記録媒体の下面に光を照射する第１の照明と、前記載置部材に載置される前記情報記録媒体の上面に光を照射する第２の照明と、前記載置部材に載置される前記情報記録媒体の下面に記録された情報を読み取るための第１の光学系と、前記載置部材に載置される前記情報記録媒体の上面に記録された情報を読み取るための第２の光学系と、前記載置部材に載置される前記情報記録媒体が挿入される媒体挿入口が前面に形成されるとともに前記載置部材、前記第１の照明、前記第２の照明、前記第１の光学系および前記第２の光学系が収容される筐体と、一部の波長域の光を透過しかつその他の波長域の光を遮断するとともに前記媒体挿入口の少なくとも上側を覆うための半遮光部を有する半遮光部材とを備え、
前記半遮光部の光の透過率と波長との関係を示す透過率曲線は、可視光の波長域内にピークを有する曲線となっていることを特徴とする情報読取装置。
【請求項２】
前記半遮光部材は、前記半遮光部が前記媒体挿入口の上側および前側を覆う遮光位置と、前記媒体挿入口の少なくとも前側が開放される開放位置との間で前記筐体に対して移動可能となっていることを特徴とする請求項１記載の情報読取装置。
【請求項３】
前記半遮光部には、前記載置部材に載置される前記情報記録媒体を上側から押える操作者の手と、前記半遮光部材が前記遮光位置にあるときの前記半遮光部との干渉を防止するための切欠き部が形成されていることを特徴とする請求項２記載の情報読取装置。
【請求項４】
前記透過率曲線は、可視光の波長域内に１つのみのピークを有することを特徴とする請求項１から３のいずれかに記載の情報読取装置。
【請求項５】
前記透過率曲線は、５００ｎｍ〜５６０ｎｍの波長域内にピークを有することを特徴とする請求項４記載の情報読取装置。
【請求項６】
前記透過率曲線のピークの半値幅は、８０ｎｍ以下となっていることを特徴とする請求項４または５記載の情報読取装置。
【発明の詳細な説明】
【技術分野】
【０００１】
本発明は、情報記録媒体に記録された情報を光学的に読み取る情報読取装置に関する。
【背景技術】
【０００２】
従来、読取対象物の画像を読み取る画像読取装置が知られている（たとえば、特許文献１参照）。特許文献１に記載の画像読取装置は、読取対象物が載置されるカバーガラスを備えている。カバーガラスの下側には、光源素子と、光源素子から射出された光を読取対象物に照射する導光体とが配置されている。また、カバーガラスの下には、結像光学系とセンサＩＣとが配置されている。この画像読取装置では、カバーガラスに載置される読取対象物の下面の画像が読み取られる。
【先行技術文献】
【特許文献】
【０００３】
【特許文献１】国際公開第２０１４／１２９１５２号
【発明の概要】
【発明が解決しようとする課題】
【０００４】
本願発明者は、情報記録媒体の一方の面の情報を光学的に読み取った後、情報記録媒体の出し入れを行わなくても情報記録媒体の他方の面の情報を光学的に読み取ることが可能な情報読取装置の構造を検討している。すなわち、本願発明者は、情報記録媒体の出し入れを行うことなく情報記録媒体の両面の情報を光学的に読み取ることが可能な情報読取装置の構造を検討している。特許文献１に記載された画像読取装置において、情報記録媒体の出し入れを行うことなく情報記録媒体の両面に記録された情報を光学的に読み取るためには、カバーガラスに載置された情報記録媒体の上面に光を照射する照明、および、情報記録媒体の上面の情報を読み取るための光学系等を追加で設置すれば良い。
【０００５】
ここで、情報記録媒体の下面の情報を光学的に読み取る場合には、たとえば、情報読取装置への情報記録媒体の挿入口の上下方向の幅を極力狭くすることで、情報読取装置で読み取られた情報記録媒体の下面の画像に対する外光（外乱光）の影響を抑制することは可能であるが、情報記録媒体の上面の情報を光学的に読み取る場合には、挿入口の上下方向の幅を狭くしても、情報読取装置で読み取られた情報記録媒体の上面の画像に対する外光の影響を受けやすくなることが本願発明者の検討によって明らかになった。
【０００６】
挿入口の上下方向の幅を狭くすると、情報読取装置に情報記録媒体を挿入しにくくなるため、また、挿入口の上下方向の幅を狭くしても、情報記録媒体の上面の画像に対する外光の影響を受けやすくなるため、本願発明者は、情報読取装置に情報記録媒体を挿入する際の操作性を考慮して挿入口の上下方向の幅を広げるとともに、情報読取装置の前面側に、情報読取装置で読み取られた情報記録媒体の画像に対する外光の影響を抑制するための遮光部材を設置することを検討した。
【０００７】
情報読取装置の前面側に遮光部材を設置すると、情報読取装置で読み取られた情報記録媒体の上面の画像に対する外光の影響を抑制できることが本願発明者の検討によって明らかになった。また、挿入口の上下方向の幅を広げると、情報記録媒体の下面の画像に対する外光の影響を受けやすくなるが、情報読取装置の前面側に遮光部材を設置すると、情報記録媒体の下面の画像に対する外光の影響も抑制できることが本願発明者の検討によって明らかになった。
【０００８】
しかしながら、情報読取装置の前面側に遮光部材を設置する場合には、遮光部材によって情報読取装置の中が見えにくくなるため、情報読取装置に情報記録媒体を挿入したときに情報読取装置の中の情報記録媒体を目視で確認しにくくなって、情報記録媒体がカバーガラスの所定の位置に載置されているのか否かを目視で確認しにくくなることが本願発明者の検討によって明らかになった。この問題を解決するためには、情報読取装置に情報記録媒体を挿入する際に情報読取装置の中の情報記録媒体を目視で確認することができる位置まで遮光部材を回動等させて退避させれば良いが、情報記録媒体を挿入するたびに、情報読取装置の中の情報記録媒体を目視で確認することができる位置まで遮光部材を退避させていたのでは、情報読取装置の操作性が低下する。
【０００９】
そこで、本発明の課題は、情報記録媒体の両面に記録された情報を光学的に読み取ることが可能な情報読取装置において、情報読取装置で読み取られた情報記録媒体の画像に対する外光の影響を抑制することが可能になるとともに、情報読取装置に挿入された情報記録媒体を目視で確認することが可能であっても操作性を高めることが可能な情報読取装置を提供することにある。
【課題を解決するための手段】
【００１０】
上記の課題を解決するため、本発明の情報読取装置は、情報記録媒体に記録された情報を光学的に読み取る情報読取装置であって、情報記録媒体が載置される透明な載置部材と、載置部材に載置される情報記録媒体の下面に光を照射する第１の照明と、載置部材に載置される情報記録媒体の上面に光を照射する第２の照明と、載置部材に載置される情報記録媒体の下面に記録された情報を読み取るための第１の光学系と、載置部材に載置される情報記録媒体の上面に記録された情報を読み取るための第２の光学系と、載置部材に載置される情報記録媒体が挿入される媒体挿入口が前面に形成されるとともに載置部材、第１の照明、第２の照明、第１の光学系および第２の光学系が収容される筐体と、一部の波長域の光を透過しかつその他の波長域の光を遮断するとともに媒体挿入口の少なくとも上側を覆うための半遮光部を有する半遮光部材とを備え、半遮光部の光の透過率と波長との関係を示す透過率曲線は、可視光の波長域内にピークを有する曲線となっていることを特徴とする。
【００１１】
本発明の情報読取装置は、一部の波長域の光を透過しかつその他の波長域の光を遮断するとともに媒体挿入口の少なくとも上側を覆うための半遮光部を有する半遮光部材を備えている。そのため、本発明では、情報読取装置で読み取られた情報記録媒体の画像に対する外光の影響を半遮光部によって抑制することが可能になる。また、本発明では、半遮光部の光の透過率と波長との関係を示す透過率曲線が可視光の波長域内にピークを有する曲線となっている。そのため、本発明では、情報読取装置に情報記録媒体を挿入する際に情報読取装置の中の情報記録媒体を直接、目視で確認することができる位置まで半遮光部材を移動させなくても（すなわち、媒体挿入口の一部が半遮光部に覆われていても）、情報読取装置に挿入された情報記録媒体を半遮光部越しに目視で確認することが可能になる。したがって、本発明は、情報読取装置に挿入された情報記録媒体を目視で確認することが可能であっても情報読取装置の操作性を高めることが可能になる。
【００１２】
本発明において、半遮光部材は、半遮光部が媒体挿入口の上側および前側を覆う遮光位置と、媒体挿入口の少なくとも前側が開放される開放位置との間で筐体に対して移動可能となっていることが好ましい。このように構成すると、半遮光部材が遮光位置に配置されているときに、半遮光部が媒体挿入口の上側および前側を覆っているため、外光の影響を受けやすい場所に情報読取装置が設置されていても、情報読取装置で読み取られた情報記録媒体の画像に対する外光の影響を抑制することが可能になる。
【００１３】
本発明において、半遮光部には、載置部材に載置される情報記録媒体を上側から押える操作者の手と、半遮光部材が遮光位置にあるときの半遮光部との干渉を防止するための切欠き部が形成されていることが好ましい。このように構成すると、遮光位置に半遮光部材が配置されていても、操作者は、載置部材に載置される情報記録媒体を載置部材に向かって押えることが可能になる。したがって、たとえば、新品のパスポートやページ数の多いパスポートのように載置部材の上面から浮き上がりやすい情報記録媒体の下面の情報を読み取るときに半遮光部材が遮光位置に配置されていても、載置部材の上面からの情報記録媒体の下面の浮き上がりを防止して、情報記録媒体の下面の情報を精度良く読み取ることが可能になる。
【００１４】
本発明において、透過率曲線は、可視光の波長域内に１つのみのピークを有することが好ましい。このように構成すると、透過率曲線が可視光の波長域内に複数のピークを有する場合と比較して、半遮光部を透過する光の波長域の幅を狭めることが可能になる。したがって、情報読取装置で読み取られた情報記録媒体の画像に対する外光の影響を効果的に抑制することが可能になる。
【００１５】
本発明において、透過率曲線は、５００ｎｍ〜５６０ｎｍの波長域内にピークを有することが好ましい。すなわち、本発明において、透過率曲線は、緑色光の波長域内にピークを有することが好ましい。人間の目の比視感度は、緑色光の波長域の光に対して最大となるため、このように構成すると、半遮光部を透過する光の透過率を低くしても、情報読取装置に挿入された情報記録媒体を半遮光部越しに目視で確認しやすくなる。したがって、半遮光部を透過する光の透過率を低くすることで、情報読取装置で読み取られた情報記録媒体の画像に対する外光の影響を効果的に抑制しつつ、情報読取装置に挿入された情報記録媒体を半遮光部越しに目視で確認しやすくなる。
【００１６】
本発明において、透過率曲線のピークの半値幅は、８０ｎｍ以下となっていることが好ましい。このように構成すると、半遮光部を透過する光の波長域の幅を狭めることが可能になる。したがって、情報読取装置で読み取られた情報記録媒体の画像に対する外光の影響を効果的に抑制することが可能になる。
【発明の効果】
【００１７】
以上のように、本発明では、情報記録媒体の両面に記録された情報を光学的に読み取ることが可能な情報読取装置において、情報読取装置で読み取られた情報記録媒体の画像に対する外光の影響を抑制することが可能になるとともに、情報読取装置に挿入された情報記録媒体を目視で確認することが可能であっても情報読取装置の操作性を高めることが可能になる。
【図面の簡単な説明】
【００１８】
【図１】本発明の実施の形態にかかる情報読取装置の斜視図である。
【図２】図１に示す情報読取装置の載置部材、カバー部材、第１の照明、第２の照明および媒体押え機構を抜き出して示す斜視図である。
【図３】図２に示す載置部材、カバー部材、第１の照明、第２の照明および媒体押え機構の正面図である。
【図４】図１に示す情報読取装置の内部の光路を説明するための側面図である。
【図５】図１に示す情報読取装置のシャッタ機構の動作を説明するための側面図である。
【図６】図１に示す情報読取装置に情報記録媒体が挿入された状態を説明するための斜視図である。
【図７】図１に示す情報読取装置の側面図である。
【図８】図１に示す半遮光部の光の透過率と波長との関係を示す透過率曲線の一例を示す図である。
【図９】本発明の他の実施の形態にかかる半遮光部の構成を説明するための図である。
【図１０】本発明の他の実施の形態にかかる半遮光部の構成を説明するための図である。
【発明を実施するための形態】
【００１９】
以下、図面を参照しながら、本発明の実施の形態を説明する。
【００２０】
（情報読取装置の全体構成）
図１は、本発明の実施の形態にかかる情報読取装置１の斜視図である。図２は、図１に示す情報読取装置１のガラス板３、カバー部材１５、照明４、５および媒体押え機構１２を抜き出して示す斜視図である。図３は、図２に示すガラス板３、カバー部材１５、照明４、５および媒体押え機構１２の正面図である。図４は、図１に示す情報読取装置１の内部の光路を説明するための側面図である。図５は、図１に示す情報読取装置１のシャッタ機構１４の動作を説明するための側面図である。
【００２１】
本形態の情報読取装置１は、情報記録媒体２に記録された情報を光学的に読み取る装置である。すなわち、情報読取装置１は、情報記録媒体２に印刷等された文字や図形等を読み取る装置である。この情報読取装置１は、手動式の読取装置であり、情報読取装置１への情報記録媒体２の挿入と情報読取装置１からの情報記録媒体２の抜取りとが手動で行われる。また、本形態の情報読取装置１は、比較的小さな卓上型の読取装置である。情報読取装置１で読み取られる情報記録媒体２は、パスポート２ＡおよびＩＤカード２Ｂである（図３参照）。
【００２２】
情報記録媒体２がパスポート２Ａである場合には、パスポート２Ａの表紙の裏面に記録された情報が情報読取装置１で光学的に読み取られる。情報記録媒体２がＩＤカード２Ｂである場合には、ＩＤカード２Ｂの両面に記録された情報が情報読取装置１で光学的に読み取られる。本形態のパスポート２Ａは、ＩＣパスポートであり、ＩＣチップおよび通信用のアンテナが内蔵されるＩＣページを備えている。また、ＩＤカード２Ｂは、非接触式のＩＣカードであり、ＩＤカード２Ｂには、ＩＣチップと通信用のアンテナとが内蔵されている。ＩＤカード２Ｂは、長方形状に形成されている。また、ＩＤカード２Ｂは、たとえば、厚さが０．７〜０．８ｍｍ程度の矩形状の塩化ビニール製のカードである。
【００２３】
パスポート２Ａは、開いた状態で情報読取装置１に挿入される。開いた状態で情報読取装置１に挿入されたパスポート２Ａの表紙の厚さ方向は、上下方向と一致している。また、情報読取装置１に挿入されたＩＤカード２Ｂの厚さ方向は、上下方向と一致している。なお、図４では、説明の便宜上、パスポート２ＡとＩＤカード２Ｂとが一緒に情報読取装置１に挿入されているが、実際には、パスポート２ＡおよびＩＤカード２Ｂのいずれか一方が情報読取装置１に挿入される。
【００２４】
以下の説明では、情報読取装置１への情報記録媒体２の挿入方向側（図１等のＹ２方向側）を「奥」側または「後ろ」側とし、情報読取装置１からの情報記録媒体２の抜取り方向側（図１等のＹ１方向側）を「前」側とする。また、情報読取装置１に対する情報記録媒体２の挿入抜取り方向（図１等のＹ方向）を「前後方向」とし、上下方向と前後方向とに直交する方向（図１等のＸ方向）を「左右方向」とする。
【００２５】
情報読取装置１は、情報記録媒体２が載置される透明なガラス板３と、ガラス板３に載置された情報記録媒体２の下面に光を照射する照明４と、ガラス板３に載置された情報記録媒体２の上面に光を照射する照明５と、ガラス板３に載置された情報記録媒体２の下面に記録された情報を読み取るための光学系６と、ガラス板３に載置された情報記録媒体２の上面に記録された情報を読み取るための光学系７と、撮像素子８と、光学系６を通過した光を撮像素子８に結像させるとともに光学系７を通過した光を撮像素子８に結像させる結像光学系９とを備えている。
【００２６】
ガラス板３、照明４、５、光学系６、７、撮像素子８および結像光学系９は、筐体１０に収容されている。撮像素子８は、二次元のＣＭＯＳイメージセンサまたはＣＣＤイメージセンサである。本形態のガラス板３は、載置部材であり、照明４は、第１の照明であり、照明５は、第２の照明である。また、光学系６は、第１の光学系であり、光学系７は、第２の光学系である。
【００２７】
また、情報読取装置１は、筺体１０に取り付けられる半遮光部材１１と、ガラス板３に載置されたパスポート２Ａの左右方向の両端部を上側から押えるための媒体押え機構１２とを備えている。さらに、情報読取装置１は、光学系６を通過した光の一部を結像光学系９に向かって透過させるとともに光学系７を通過した光の一部を結像光学系９に向かって反射するビームスプリッタ１３と、ガラス板３に載置された情報記録媒体２の下面に記録された情報を読み取るときに光学系７からビームスプリッタ１３に入射する光を遮るとともにガラス板３に載置された情報記録媒体２の上面に記録された情報を読み取るときに光学系６からビームスプリッタ１３に入射する光を遮るシャッタ機構１４とを備えている。ビームスプリッタ１３およびシャッタ機構１４は、筐体１０に収容されている。なお、図４では、媒体押え機構１２の図示を省略している。
【００２８】
また、情報読取装置１は、ガラス板３に載置される情報記録媒体２よりも上側に配置される上面部１５ａと、上面部１５ａの左右の両端側に繋がる２個の側面部１５ｂと、上面部１５ａの奥端側に繋がる奥面部１５ｃとを有するカバー部材１５を備えている。本形態のカバー部材１５は、上面部１５ａと２個の側面部１５ｂと奥面部１５ｃとによって構成されている。カバー部材１５は、アクリル樹脂等の透明な樹脂で形成されている。奥面部１５ｃには、たとえば、遮光性の塗料が塗布されており、奥面部１５ｃは、奥側へ向かう光を遮断する遮光部となっている。一方、上面部１５ａおよび側面部１５ｂは、透明になっている。
【００２９】
上面部１５ａは、長方形の平板状に形成されており、上面部１５ａの厚さ方向と上下方向とが一致するように配置されている。また、上面部１５ａは、上面部１５ａの端面が前後方向または左右方向と平行になるように配置されている。側面部１５ｂは、長方形の平板状に形成されており、側面部１５ｂの厚さ方向と左右方向とが一致するように配置されている。奥面部１５ｃは、長方形の平板状に形成されており、奥面部１５ｃの厚さ方向と前後方向とが一致するように配置されている。奥面部１５ｃの左右の両端は、側面部１５ｂの奥端に繋がっている。
【００３０】
ガラス板３は、長方形の平板状に形成されており、ガラス板３の厚さ方向と上下方向とが一致するように配置されている。また、ガラス板３は、ガラス板３の端面が前後方向または左右方向と平行になるように配置されている。側面部１５ｂの下端および奥面部１５ｃの下端は、ガラス板３の上面に接触している。本形態では、ガラス板３とカバー部材１５とによって、前面が開口するとともに情報記録媒体２の少なくとも一部が配置される箱状の媒体配置部１６が形成されている。媒体配置部１６は、直方体の箱状に形成されており、筐体１０に収容されている。媒体配置部１６の前面の開口の上下方向の幅（すなわち、ガラス板３の上面と上面部１５ａの下面との距離）は、情報記録媒体２の厚さよりも大幅に広くなっている。
【００３１】
図１に示すように、媒体配置部１６の、前面の開口以外の部分は、筐体１０によって覆われている。筐体１０の前面には、ガラス板３に載置される情報記録媒体２が挿入される媒体挿入口１０ａが形成されている。媒体挿入口１０ａは、媒体配置部１６の前面の開口の前に配置されている。媒体挿入口１０ａの上下方向の幅は、媒体配置部１６の前面の開口の上下方向の幅よりも広くなっている。媒体挿入口１０ａの左右方向の幅は、媒体配置部１６の前面の開口の左右方向の幅よりも若干広くなっている。
【００３２】
ガラス板３には、ＩＤカード２Ｂの全体が載置される。すなわち、媒体配置部１６には、ＩＤカード２Ｂの全体が配置される。また、ガラス板３には、開いた状態のパスポート２Ａの背表紙がガラス板３の前端側に配置されるように、パスポート２Ａの一部が載置される。すなわち、媒体配置部１６には、パスポート２Ａの一部が配置される。パスポート２Ａは、個人情報が記録された表紙の裏面が下側を向くようにガラス板３に載置される。本形態では、パスポート２Ａの、ガラス板３に載置された部分の前後方向の幅は、ガラス板３に載置されたＩＤカード２Ｂの前後方向の幅よりも広くなっている。また、パスポート２Ａの左右方向の幅は、ガラス板３に載置されたＩＤカード２Ｂの左右方向の幅よりも広くなっている。
【００３３】
なお、本形態のパスポート２Ａは、国際民間航空機関（ＩＣＡＯ）が公表したガイドラインに沿って作成されたパスポートである。ガラス板３に載置されるパスポート２Ａの表紙の裏面には、顔写真や氏名等が記載されている。また、パスポート２Ａの表紙の裏面の左右方向の両端部の奥端部分には、文字認識に利用される文字が記録されている。
【００３４】
ガラス板３の下側には、ＩＤカード２Ｂに内蔵される通信用のアンテナと通信を行うためのアンテナ（図示省略）が配置されている。このアンテナは、ガラス板３に載置された情報記録媒体２の下面の情報を光学的に読み取る際に支障の出ない位置に配置されている。また、ガラス板３よりも前側には、図１に示すように、パスポート２Ａに内蔵される通信用のアンテナと通信を行うためのアンテナ１７が配置されている。アンテナ１７は、ガラス板３よりも下側に配置されている。なお、パスポート２Ａの仕様によっては、ガラス板３の下側に配置されるアンテナと、パスポート２Ａに内蔵されるアンテナとの通信が行われることもある。
【００３５】
また、情報読取装置１は、図１に示すように、情報読取装置１の前面側かつ上面側に配置されるカメラ１８を備えている。カメラ１８は、媒体配置部１６よりも上側に配置されている。カメラ１８の光軸は、前側に向かうにしたがって上側に向かうように傾斜している。カメラ１８は、たとえば、情報記録媒体２の読取操作を行う者の顔を撮影する。
【００３６】
（照明の構成および配置）
照明４、５は、複数の光源が実装される基板２４と、光源から射出された光が入射する照明レンズ２５とを備えている。本形態の照明４、５は、光源として、白色光を射出する複数の白色ＬＥＤと、赤外光を射出する複数の赤外線ＬＥＤと、紫外光を射出する複数の紫外線ＬＥＤとを備えている。基板２４は、細長い長方形の平板状に形成されている。照明レンズ２５は、細長い略直方体状に形成されている。この照明レンズ２５は、基板２４の、光源が実装された面に固定されている。
【００３７】
照明レンズ２５には、白色ＬＥＤが射出する白色光と赤外線ＬＥＤが射出する赤外光と紫外線ＬＥＤが射出する紫外光とが入射する。情報記録媒体２には、照明レンズ２５を透過した光が照射される。なお、照明４、５から照射される赤外光は、ＯＣＲ文字等の機械読取式の印刷情報の読取りに用いられる。また、照明４、５から照射される紫外光は、情報記録媒体２の真偽判定に必要な印刷情報の読取りに用いられる。具体的には、照明４、５から照射される紫外光は、目に見えない蛍光発色インクによる印刷情報の読取りに用いられる。
【００３８】
図３に示すように、照明４は、ガラス板３よりも下側に配置されている。また、情報読取装置１は、２個の照明４を備えており、照明４は、左右方向におけるガラス板３の両外側のそれぞれに配置されている。照明４は、ガラス板３に載置される情報記録媒体２に向かって左右方向の外側から、かつ、斜め下側から光を照射する。また、図３（Ａ）に示すように、照明４から射出されガラス板３を透過した光が、ガラス板３に載置される情報記録媒体２の下面に照射される。
【００３９】
照明５は、ガラス板３に載置される情報記録媒体２よりも上側に配置されている。また、情報読取装置１は、２個の照明５を備えており、照明５は、左右方向における媒体配置部１６の両外側のそれぞれに配置されている。すなわち、２個の照明５のうちの一方の照明５は、右側に配置される側面部１５ｂの右側に配置され、２個の照明５のうちの他方の照明５は、左側に配置される側面部１５ｂの左側に配置されている。照明５は、ガラス板３に載置される情報記録媒体２に向かって左右方向の外側から、かつ、斜め上側から光を照射する。また、図３（Ｂ）に示すように、照明５から射出され側面部１５ｂを透過した光が、ガラス板３に載置される情報記録媒体２の上面に照射される。
【００４０】
（光学系、結像光学系、ビームスプリッタ、撮像素子の構成および配置）
光学系６は、長方形の平板状に形成される３個の反射ミラー（全反射ミラー）３０、３１、３２を備えている。反射ミラー３０、３１は、ガラス板３よりも下側に配置されている。具体的には、反射ミラー３０は、ガラス板３に載置されるパスポート２Ａの下側に配置されている。また、反射ミラー３１は、反射ミラー３０と略同じ高さに配置されるとともに、反射ミラー３０よりも後ろ側に配置されている。反射ミラー３２は、媒体配置部１６の後ろ側（カバー部材１５の奥面部１５ｃの後ろ側）に配置されている。また、反射ミラー３２は、反射ミラー３１の上側に配置されている。
【００４１】
反射ミラー３０〜３２は、上下方向に対して所定の角度傾いた状態で配置されている。反射ミラー３０は、後ろ側に向かうにしたがって下側に向かうように傾斜し、反射ミラー３１、３２は、後ろ側に向かうにしたがって上側に向かうように傾斜している。反射ミラー３０〜３２の上下方向に対する傾斜角度は、略４５°となっている。反射ミラー３０には、ガラス板３に載置された情報記録媒体２の下面で反射された光が入射する。反射ミラー３１には、反射ミラー３０で反射された光が入射し、反射ミラー３２には、反射ミラー３１で反射された光が入射する。
【００４２】
光学系７は、長方形の平板状に形成される２個の反射ミラー（全反射ミラー）３３、３４を備えている。反射ミラー３３、３４は、ガラス板３に載置される情報記録媒体２よりも上側に配置されている。具体的には、反射ミラー３３は、ガラス板３に載置されるＩＤカード２Ｂの上側に配置されている。また、反射ミラー３３は、カバー部材１５の上面部１５ａの上側（媒体配置部１６の上側）に配置されている。反射ミラー３４は、反射ミラー３３と略同じ高さに配置されるとともに、ガラス板３よりも後ろ側（すなわち、媒体配置部１６よりも後ろ側）に配置されている。
【００４３】
反射ミラー３３、３４は、上下方向に対して所定の角度傾いた状態で配置されている。反射ミラー３３は、後ろ側に向かうにしたがって上側に向かうように傾斜し、反射ミラー３４は、後ろ側に向かうにしたがって下側に向かうように傾斜している。反射ミラー３３、３４の上下方向に対する傾斜角度は、略４５°となっている。反射ミラー３３には、ガラス板３に載置された情報記録媒体２の上面で反射された光が入射する。反射ミラー３４には、反射ミラー３３で反射された光が入射する。
【００４４】
結像光学系９は、結像レンズ３５を備えている。結像レンズ３５は、反射ミラー３２の後ろ側に配置されている。また、結像レンズ３５は、反射ミラー３４よりも後ろ側に配置されている。撮像素子８は、結像レンズ３５の後ろ側に配置されている。撮像素子８は、撮像素子８の撮像面が前側を向くように配置されている。
【００４５】
ビームスプリッタ１３は、長方形の平板状に形成されている。本形態のビームスプリッタ１３は、光の透過率と反射率とが等しいハーフミラーである。ビームスプリッタ１３は、前後方向において、反射ミラー３２と結像レンズ３５との間に配置されている。すなわち、ビームスプリッタ１３は、反射ミラー３２の後ろ側であって、かつ、結像レンズ３５の前側に配置されている。また、ビームスプリッタ１３は、反射ミラー３４の下側に配置されている。
【００４６】
ビームスプリッタ１３は、上下方向に対して所定の角度傾いた状態で配置されている。具体的には、ビームスプリッタ１３は、後ろ側に向かうにしたがって下側に向かうように傾斜している。ビームスプリッタ１３の上下方向に対する傾斜角度は、略４５°となっている。ビームスプリッタ１３は、反射ミラー３２で反射された光の半分を結像レンズ３５に向かって透過させるとともに、反射ミラー３４で反射された光の半分を結像レンズ３５に向かって反射する。
【００４７】
（シャッタ機構の構成）
シャッタ機構１４は、光学系６とビームスプリッタ１３との間の光路（すなわち、反射ミラー３２とビームスプリッタ１３との間の光路）を遮る第１遮光位置３７Ａ（図５（Ｂ）参照）と、光学系７とビームスプリッタ１３との間の光路（すなわち、反射ミラー３４とビームスプリッタ１３との間の光路）を遮る第２遮光位置３７Ｂ（図５（Ａ）参照）との間で移動可能なシャッタ３７を備えている。シャッタ３７は、反射ミラー３２、３４とビームスプリッタ１３との間の光路を遮る遮光部３７ａを備えている。
【００４８】
また、シャッタ機構１４は、第１遮光位置３７Ａと第２遮光位置３７Ｂとの間でシャッタ３７を移動させるシャッタ駆動機構を備えている。シャッタ駆動機構は、シャッタ３７が固定されるレバー部材３９、および、レバー部材３９を回動させるソレノイド（図示省略）等を備えている。レバー部材３９は、左右方向を回動の軸方向として回動可能となっている。
【００４９】
（媒体押え機構の構成）
図６は、図１に示す情報読取装置１に情報記録媒体２が挿入された状態を説明するための斜視図である。
【００５０】
媒体押え機構１２は、媒体配置部１６の中に配置されている。この媒体押え機構１２は、パスポート２Ａの左右方向の両端部を上側から押える２個の押え部４１ａを有する押え部材４１と、ＩＤカード２Ｂの後端（奥端）が接触する接触部４２ａを有する接触部材４２と、押え部材４１および接触部材４２を保持する保持部材４３とを備えている。また、媒体押え機構１２は、保持部材４３に対して押え部材４１を下側に付勢する圧縮コイルバネ４４、４５を備えている。本形態の媒体押え機構１２は、２個の圧縮コイルバネ４４と２個の圧縮コイルバネ４５との合計４個の圧縮コイルバネ４４、４５を備えている。
【００５１】
保持部材４３は、媒体押え機構１２の上面を構成する上面部４３ａと、媒体押え機構１２の後面を構成する後面部４３ｂと、媒体押え機構１２の後端側の左右の側面を構成する側面部４３ｃとを備えている。上面部４３ａは、左右方向の長さが長い略長方形の平板状に形成される基部４３ｄと、基部４３ｄの左右の両端側から前側に向かって突出する２個の突出部４３ｅとから構成されている。基部４３ｄは、基部４３ｄの厚さ方向と上下方向とが一致するように配置されている。突出部４３ｅは、前後方向の長さが長い略長方形の平板状に形成されており、突出部４３ｅの厚さ方向と上下方向とが一致するように配置されている。
【００５２】
後面部４３ｂは、左右方向の長さが長い略長方形の平板状に形成されており、後面部４３ｂの厚さ方向と前後方向とが一致するように配置されている。後面部４３ｂの上端は、基部４３ｄの後端に繋がっている。側面部４３ｃは、略長方形の平板状に形成されており、側面部４３ｃの厚さ方向と左右方向とが一致するように配置されている。側面部４３ｃの上端は、基部４３ｄの左右の両端のそれぞれに繋がり、側面部４３ｃの後端は、後面部４３ｂの左右の両端のそれぞれに繋がっている。
【００５３】
上面部４３ａの上面には、上側に向かって突出する２個の突起４３ｆと２個の突起４３ｇとが形成されている。突起４３ｆは、２個の突出部４３ｅのそれぞれの前端側部分に形成されている。突起４３ｇは、基部４３ｄの左右方向の両端側のそれぞれに形成されている。突起４３ｆの上面は、上下方向に直交する平面となっている。突起４３ｇは、半球状に形成されている。突起４３ｆの上面および突起４３ｇの上端は、カバー部材１５の上面部１５ａの下面に接触している。
【００５４】
突出部４３ｅの前端側には、下側に向かって突出する円柱状のバネ保持部が形成されており、このバネ保持部は、圧縮コイルバネ４４の内周側に挿入されている。基部４３ｄには、圧縮コイルバネ４５の内周側に挿入される軸部が形成されるバネ保持部材４７が固定されている。バネ保持部材４７には、２個の軸部が形成されており、２個の軸部は、基部４３ｄから下側へ突出している。側面部４３ｃには、保持部材４３に対して押え部材４１を上下方向へ案内するためのガイド溝４３ｊが形成されている。ガイド溝４３ｊは、左右方向で側面部４３ｃを貫通しており、上下方向を長手方向とする長穴状に形成されている。
【００５５】
押え部材４１は、上述のように、２個の押え部４１ａを備えている。押え部４１ａは、前後方向の長さが長い板状に形成されている。また、押え部材４１は、２個の押え部４１ａのそれぞれの前端に繋がるガイド部４１ｂと、２個の押え部４１ａの後端部（奥端部）を繋ぐ接続部４１ｃとを備えている。接続部４１ｃは、押え部４１ａの後端部の上側同士を繋いでいる。
【００５６】
押え部４１ａの下面は、上下方向に直交する平面となっている。押え部４１ａの上面４１ｅは、左右方向の内側に向かうにしたがって下側に向かうように傾斜する傾斜面となっている。押え部４１ａは、ガラス板３に載置されたパスポート２Ａの左右方向の両端部（具体的には、パスポート２Ａの表紙の左右方向の両端部）のそれぞれのほぼ全体に上側から接触してパスポート２Ａの左右方向の両端部のほぼ全体を上側から押えている。そのため、２個の押え部４１ａの左右方向の間隔は、パスポート２Ａの左右方向の幅よりも狭くなっている（図３（Ａ）、図６（Ａ）参照）。一方、２個の押え部４１ａの左右方向の間隔は、ＩＤカード２Ｂの左右方向の幅よりも広くなっている（図３（Ｂ）、図６（Ｂ）参照）。
【００５７】
ガイド部４１ｂの下面は、左右方向から見たときの形状が円弧となる凸曲面状に形成されている。また、ガイド部４１ｂの下面は、前側に向かうにしたがって上側へ向かうように傾斜している。ガイド部４１ｂの左右方向の内側面は、前側に向かうにしたがって左右方向の外側に広がっている。ガイド部４１ｂは、媒体挿入口１０ａに挿入されたパスポート２Ａを押え部４１ａの下側に案内する機能を果たしている。また、ガイド部４１ｂは、媒体挿入口１０ａに挿入されたＩＤカード２Ｂを２個の押え部４１ａの間に案内する機能を果たしている。
【００５８】
ガイド部４１ｂの後端部および押え部４１ａは、保持部材４３の突出部４３ｅの下側に配置されている。接続部４１ｃは、保持部材４３の基部４３ｄの下側に配置されている。圧縮コイルバネ４４の下端は、ガイド部４１ｂの後端部の上面に接触し、圧縮コイルバネ４５の下端は、接続部４１ｃの上面に接触している。すなわち、押え部材４１は、圧縮コイルバネ４４、４５によって保持部材４３に対して下側に付勢されており、保持部材４３に対して上下動可能となっている。情報読取装置１にパスポート２Ａが挿入されていないときには、圧縮コイルバネ４４、４５の付勢力によって、押え部４１ａの下面は、ガラス板３の上面に接触している。すなわち、情報読取装置１にパスポート２Ａが挿入されていないときには、押え部材４１は、ガラス板３の上面に接触している。
【００５９】
接続部４１ｃの左右の両側面のそれぞれには、左右方向の外側に突出するガイドピン４１ｇが形成されている。ガイドピン４１ｇは、円柱状に形成されている。ガイドピン４１ｇは、保持部材４３のガイド溝４３ｊに係合している。押え部材４１は、ガイドピン４１ｇとガイド溝４３ｊとによって、保持部材４３に対して上下方向に案内される。また、押え部材４１は、ガイドピン４１ｇを中心にして、かつ、左右方向を回動の軸方向として保持部材４３に対して回動可能となっている。
【００６０】
上下方向において、押え部４１ａと突出部４３ｅとの間には、隙間が形成されている。上下方向における押え部４１ａと突出部４３ｅとの間は、照明５から射出された光が通過する光通過部４８となっている。すなわち、押え部４１ａの上側であって、かつ、突出部４３ｅの下側は、照明５から射出され側面部１５ｂを透過した光が、ガラス板３に載置される情報記録媒体２の上面に向かって通過する光通過部４８となっている。
【００６１】
接触部材４２は、押え部材４１の接続部４１ｃの下側に配置されている。接触部材４２は、上述のように、接触部４２ａを備えている。また、接触部材４２は、接触部４２ａを支持する支持部４２ｂを備えている（図２参照）。接触部４２ａは、左右方向の長さが長い平板状に形成されており、接触部４２ａの厚さ方向と前後方向とが略一致するように配置されている。支持部４２ｂは、左右方向の長さが長い略平板状に形成されており、支持部４２ｂの厚さ方向と上下方向とが略一致するように配置されている。接触部４２ａは、支持部４２ｂの前端に繋がっている。また、接触部４２ａは、支持部４２ｂの前端から下側へ伸びている。
【００６２】
接触部４２ａの左右方向の幅は、２個の押え部４１ａの左右方向の間隔よりも狭くなっている。また、接触部４２ａは、前後方向から見たときに２個の押え部４１ａの間に配置されている。支持部４２ｂの左右の両端面の後端部には、左右方向の外側に突出する突出ピンが形成されている。この突出ピンは、保持部材４３に形成される凹部に係合しており、接触部材４２は、突出ピンを中心にして、かつ、左右方向を回動の軸方向として保持部材４３に対して回動可能となっている。支持部４２ｂの左右方向の両端側のそれぞれには、押え部材４１に形成される押上部が下側から接触している。この押上部は、保持部材４３に対する接触部材４２の回動中心よりも前側に配置されている。
【００６３】
情報読取装置１に情報記録媒体２が挿入されていない状態では、接触部４２ａの下端面は、上下方向に直交する平面となっており、ガラス板３の上面に接触している。また、この状態では、接触部４２ａの前面は、前後方向に直交する平面となっている。また、この状態では、接触部４２ａの前面は、押え部材４１の接続部４１ｃの前端よりもわずかに前側に配置されている。ガラス板３の前端面と接触部４２ａの前面との距離（前後方向の距離）は、ガラス板３に載置されるパスポート２Ａの表紙の前後方向の幅よりも短くなっている（図９（Ａ）参照）。また、ガラス板３の前端面と接触部４２ａの前面との距離は、ガラス板３に載置されるＩＤカード２Ｂの前後方向の幅よりも長くなっている（図９（Ｂ）参照）。
【００６４】
本形態では、情報読取装置１にパスポート２Ａが挿入され始めると、パスポート２Ａが押え部材４１の押え部４１ａの下側に入り込んで押え部４１ａの前端側が持ち上がる。また、パスポート２Ａが情報読取装置１の所定の位置まで入り込むと、押え部材４１の押上部によって支持部４２ｂが押し上げられる。支持部４２ｂが押し上げられると、接触部材４２が回動して、接触部４２ａが持ち上がる。パスポート２Ａが情報読取装置１にさらに挿入されると、パスポート２Ａの奥端（表紙の奥端）は、接触部４２ａの下側を通過して、接触部４２ａよりも奥側に入り込む。このように本形態では、パスポート２Ａが情報読取装置１に挿入されると、押え部４１ａがパスポート２Ａによって持ち上げられてパスポート２Ａの左右方向の両端部を上側から押えるとともに、接触部４２ａが持ち上げられて、パスポート２Ａの奥端が接触部４２ａの下側を通過する。
【００６５】
一方、上述のように、ガラス板３に載置されるＩＤカード２Ｂの左右方向の幅は、２個の押え部４１ａの左右方向の間隔よりも狭くなっている。そのため、情報読取装置１にＩＤカード２Ｂが挿入されても、押え部４１ａが持ち上がらず、押え部材４１は持ち上がらない。したがって、情報読取装置１にＩＤカード２Ｂが挿入されても、接触部４２ａは持ち上がらない。そのため、情報読取装置１にＩＤカード２Ｂが挿入されると、接触部４２ａにＩＤカード２Ｂの奥端が接触する（図３（Ｂ）、図６（Ｂ）参照）。具体的には、接触部４２ａの前面にＩＤカード２Ｂの奥端が接触する。
【００６６】
（半遮光部材の構成）
図７は、図１に示す情報読取装置１の側面図である。図８は、図１に示す半遮光部１１ａの光の透過率と波長との関係を示す透過率曲線Ｃの一例を示す図である。
【００６７】
半遮光部材１１は、樹脂で形成されている。具体的には、半遮光部材１１は、特定の波長域の光の吸収特性を持ったインクが混ぜ込まれた樹脂によって形成されており、一部の波長域の光を透過するとともにその他の波長域の光を遮断する。また、半遮光部材１１は、オートバイ用のフルフェイス型ヘルメットのシールドのような薄い曲板状に形成されている。上述のように、半遮光部材１１は、筺体１０に取り付けられている。具体的には、半遮光部材１１は、左右方向を回動の軸方向とする回動が可能となるように筐体１０に取り付けられている。
【００６８】
半遮光部材１１は、媒体挿入口１０ａを上側および前側から覆うための半遮光部１１ａと、筐体１０の左右の両側面のそれぞれに回動可能に連結される２個の連結部１１ｂとから構成されている。半遮光部１１ａの大ききは、媒体挿入口１０ａの全体を覆うことが可能な大きさとなっている。具体的には、半遮光部１１ａの大ききは、上側および前側から媒体挿入口１０ａの全体を覆うことが可能な大きさとなっている。連結部１１ｂは、半遮光部１１ａの左右の両端に繋がっている。また、連結部１１ｂは、半遮光部１１ａの左右の両端から後ろ側に向かって伸びている。筐体１０の左右の両側面には、連結部１１ｂを回動可能に支持する固定軸１０ｃが形成されている。半遮光部１１ａと２個の連結部１１ｂとは一体で形成されている。
【００６９】
半遮光部材１１は、半遮光部１１ａが媒体挿入口１０ａの上側および前側を覆う遮光位置１１Ａ（図７の実線および図１の二点鎖線で示す位置）と、媒体挿入口１０ａの前側が開放される開放位置１１Ｂ（図７の二点鎖線で示す位置）との間で筐体１０に対して回動可能となっている。すなわち、半遮光部材１１は、遮光位置１１Ａと開放位置１１Ｂとの間で筐体１０に対して移動可能となっている。遮光位置１１Ａにある半遮光部材１１が開放位置１１Ｂに回動するときには、半遮光部材１１が図７の時計回りの方向に回動して、半遮光部１１ａが斜め前上側に移動する。また、半遮光部材１１の回動動作は、情報読取装置１の操作者が手動で行う。
【００７０】
本形態では、半遮光部材１１が遮光位置１１Ａに配置されているときに、半遮光部１１ａは、媒体挿入口１０ａの上側および前側を完全に覆っている。また、本形態では、媒体挿入口１０ａの下側に、前側に向かうにしたがって下側へ向かうように傾斜する傾斜面１０ｂが形成されており、半遮光部材１１が遮光位置１１Ａに配置されているときには、傾斜面１０ｂと半遮光部１１ａとによって媒体挿入口１０ａの全体が覆われている。
【００７１】
上述のように、半遮光部材１１は、一部の波長域の光を透過するとともにその他の波長域の光を遮断する。すなわち、半遮光部１１ａは、一部の波長域の光を透過するとともにその他の波長域の光を遮断する。半遮光部１１ａの光の透過率と波長との関係（すなわち、半遮光部材１１の光の透過率と波長との関係）を示す透過率曲線Ｃは、図８に示すように、可視光の波長域内にピークを有する曲線となっている。
【００７２】
本形態では、透過率曲線Ｃは、可視光の波長域内に１つのみのピークを有している。また、本形態では、透過率曲線Ｃは、５００ｎｍ〜５６０ｎｍの波長域内にピークを有している。すなわち、透過率曲線Ｃは、緑色光の波長域内にピークを有しており、半遮光部１１ａは、緑色光をピークとする光の透過特性を持っている。具体的には、暗所において比視感度が最も高くなる５０７ｎｍで透過率曲線Ｃはピークとなっている。透過率曲線Ｃがピークとなるときの光の透過率は、たとえば、５％となっている。また、透過率曲線Ｃのピークの半値幅Ｗは、８０ｎｍ以下となっている。具体的には、半値幅Ｗは、８０ｎｍとなっている。
【００７３】
（情報読取装置の情報読取動作）
情報読取装置１でパスポート２Ａに記録された情報が読み取られる場合、パスポート２Ａは、個人情報が記録された表紙の裏面が下側を向くように媒体挿入口１０ａに挿入される。パスポート２Ａが媒体挿入口１０ａに挿入されるときには、半遮光部材１１は、媒体挿入口１０ａにパスポート２Ａを挿入することが可能となる位置に配置されている。すなわち、半遮光部材１１は、媒体挿入口１０ａの少なくとも下端部の前側が開放される位置に配置されており、遮光位置１１Ａには配置されていない。パスポート２Ａが媒体挿入口１０ａに挿入されると、押え部４１ａがパスポート２Ａによって持ち上げられてパスポート２Ａの左右方向の両端部が押え部４１ａによって上側から押えられるとともに、パスポート２Ａの奥端が接触部４２ａよりも奥側に入り込んで、パスポート２Ａがガラス板３に載置される。
【００７４】
パスポート２Ａがガラス板３に載置されると、情報読取装置１の操作者は、半遮光部材１１を遮光位置１１Ａに回動させる。半遮光部材１１が遮光位置１１Ａに配置されると、照明４が光を照射して、パスポート２Ａに記録された情報が光学的に読み取られる。このときには、シャッタ３７は、第２遮光位置３７Ｂに配置されている。また、照明５は光を照射しない。情報読取装置１でパスポート２Ａに記録された情報が読み取られると、情報読取装置１の操作者は、遮光位置１１Ａにある半遮光部材１１を、パスポート２Ａが抜取り可能な位置まで回動させて、パスポート２Ａを情報読取装置１から抜き取る。
【００７５】
一方、情報読取装置１でＩＤカード２Ｂに記録された情報が読み取られる場合、ＩＤカード２Ｂが情報読取装置１に挿入される。ＩＤカード２Ｂが情報読取装置１に挿入されるときには、半遮光部材１１は、媒体挿入口１０ａにＩＤカード２Ｂを挿入することが可能となる位置に配置されており、遮光位置１１Ａには配置されていない。ＩＤカード２Ｂが情報読取装置１に挿入されると、接触部４２ａにＩＤカード２Ｂの奥端が接触して、ＩＤカード２Ｂがガラス板３に載置される。
【００７６】
ＩＤカード２Ｂがガラス板３に載置されると、情報読取装置１の操作者は、半遮光部材１１を遮光位置１１Ａに回動させる。半遮光部材１１が遮光位置１１Ａに配置されると、まず、照明４が光を照射して、ＩＤカード２Ｂの下面に記録された情報が光学的に読み取られる。このときには、シャッタ３７は第２遮光位置３７Ｂに配置されており、また、照明５は光を照射しない。ＩＤカード２Ｂの下面に記録された情報が読み取られると、シャッタ３７は第１遮光位置３７Ａに移動するとともに、照明５が光を照射して、ＩＤカード２Ｂの上面に記録された情報が光学的に読み取られる。このときには、照明４は光を照射しない。
【００７７】
情報読取装置１でＩＤカード２Ｂに記録された情報が読み取られると、情報読取装置１の操作者は、遮光位置１１Ａにある半遮光部材１１を、ＩＤカード２Ｂが抜取り可能な位置まで回動させて、ＩＤカード２Ｂを情報読取装置１から抜き取る。なお、ＩＤカード２Ｂに記録された情報が読み取られる場合、ＩＤカード２Ｂの上面に記録された情報が読み取られた後に、ＩＤカード２Ｂの下面に記録された情報が読み取られても良い。
【００７８】
（本形態の主な効果）
以上説明したように、本形態では、情報記録媒体２に記録された情報が情報読取装置１で読み取られる際に、情報記録媒体２がガラス板３に載置されると、情報読取装置１の操作者は、半遮光部材１１を遮光位置１１Ａに回動させて、媒体挿入口１０ａの上側および前側を半遮光部１１ａで覆っている。そのため、本形態では、情報読取装置１で読み取られた情報記録媒体２の画像に対する外光の影響を半遮光部１１ａによって抑制することが可能になる。
【００７９】
特に本形態では、半遮光部材１１が遮光位置１１Ａに配置されているときに、傾斜面１０ｂと半遮光部１１ａとによって媒体挿入口１０ａの全体が覆われているため、たとえば、太陽光が間接的に入射する場所等の外光の影響を受けやすい場所に情報読取装置１が設置されていても、情報読取装置１で読み取られた情報記録媒体２の画像に対する外光の影響を抑制することが可能になる。また、本形態では、透過率曲線Ｃが可視光の波長域内に１つのみのピークを有しているため、透過率曲線Ｃが可視光の波長域内に複数のピークを有する場合と比較して、半遮光部１１ａを透過する光の波長域の幅を狭めることが可能になる。また、透過率曲線Ｃのピークの半値幅Ｗが８０ｎｍ以下となっているため、半遮光部１１ａを透過する光の波長域の幅を狭めることが可能になる。したがって、本形態では、情報読取装置１で読み取られた情報記録媒体２の画像に対する外光の影響を効果的に抑制することが可能になる。
【００８０】
本形態では、半遮光部１１ａの光の透過率と波長との関係を示す透過率曲線Ｃが可視光の波長域内にピークを有する曲線となっている。そのため、本形態では、媒体挿入口１０ａに情報記録媒体２を挿入する際に媒体挿入口１０ａの一部が半遮光部１１ａに覆われていても、情報読取装置１に挿入されてガラス板３に載置された情報記録媒体２を半遮光部１１ａ越しに目視で確認することが可能になる。すなわち、本形態では、情報読取装置１の中の情報記録媒体２を直接、目視で確認することができる位置まで半遮光部材１１を回動させなくても、情報読取装置１の中の情報記録媒体２を半遮光部１１ａ越しに目視で確認することが可能になる。したがって、本形態では、情報読取装置１に挿入された情報記録媒体２を目視で確認することが可能であっても情報読取装置１の操作性を高めることが可能になる。
【００８１】
本形態では、透過率曲線Ｃは、比視感度が高くなる緑色光の波長域内にピークを有している。そのため、本形態では、半遮光部１１ａを透過する光の透過率を低くしても、情報読取装置１に挿入された情報記録媒体２を半遮光部１１ａ越しに目視で確認しやすくなる。したがって、本形態では、半遮光部１１ａを透過する光の透過率を低くすることで、情報読取装置１で読み取られた情報記録媒体２の画像に対する外光の影響を効果的に抑制することが可能になるとともに、情報読取装置１に挿入された情報記録媒体２を半遮光部１１ａ越しに目視で確認しやすくなる。
【００８２】
（他の実施の形態）
上述した形態は、本発明の好適な形態の一例ではあるが、これに限定されるものではなく本発明の要旨を変更しない範囲において種々変形実施が可能である。
【００８３】
上述した形態では、情報記録媒体２に記録された情報が光学的に読み取られるときに、半遮光部材１１は、媒体挿入口１０ａの上側および前側を半遮光部１１ａが完全に覆う遮光位置１１Ａに配置されている。この他にもたとえば、外光の影響を比較的受けにくい場所に情報読取装置１が設置されているのであれば、情報記録媒体２に記録された情報が光学的に読み取られるときに、半遮光部材１１は、媒体挿入口１０ａの前側の一部が開放される位置（半遮光部１１ａに覆われない位置）に配置されていても良い。また、上述した形態において、開放位置１１Ｂに半遮光部材１１が配置されているときに、媒体挿入口１０ａの前側に加えて、媒体挿入口１０ａの上側が開放されていても良い。
【００８４】
上述した形態において、図９に示すように、ガラス板３に載置される情報記録媒体２を上側から押える操作者の手Ｈと、半遮光部材１１が遮光位置１１Ａにあるときの半遮光部１１ａとの干渉を防止するための切欠き部１１ｃが半遮光部１１ａに形成されていても良い。この場合には、切欠き部１１ｃと手Ｈとの隙間が最小限となるように切欠き部１１ｃが形成されていることが好ましい。
【００８５】
切欠き部１１ｃが半遮光部１１ａに形成されている場合には、遮光位置１１Ａに半遮光部材１１が配置されていても、操作者は、ガラス板３に載置される情報記録媒体２をガラス板３に向かって押えることが可能になる。したがって、たとえば、新品のパスポート２Ａやページ数の多いパスポート２Ａのようにガラス板３の上面から浮き上がりやすい情報記録媒体２の下面の情報を読み取るときに半遮光部材１１が遮光位置１１Ａに配置されていても、ガラス板３の上面からの情報記録媒体２の下面の浮き上がりを防止して、情報記録媒体２の下面の情報を精度良く読み取ることが可能になる。なお、図９に示す例において、たとえば、カーテン状に形成されたゴム等の弾性部材によって切欠き部１１ｃと手Ｈとの隙間が埋められていても良い。
【００８６】
上述した形態において、たとえば、情報読取装置１が上側のみからの外光の影響を受ける場所に設置されているのであれば、半遮光部材１１は、図１０に示すように、媒体挿入口１０ａを上側から覆うための半遮光部１１ａを備えていても良い。この場合には、たとえば、半遮光部材１１は、半遮光部１１ａが媒体挿入口１０ａの上側を覆う遮光位置１１Ｃ（図１０の実線で示す位置）と、半遮光部１１ａが上側へ退避する開放位置１１Ｄとの間で筐体１０に対して回動可能となっている。また、この場合には、半遮光部材１１が遮光位置１１Ｃに配置されているときの半遮光部１１ａの前後方向の長さは、上述した形態の半遮光部１１ａの前後方向の長さよりも長くなっている。なお、図１０では、上述した形態と同様の構成には、同一の符号を付している。
【００８７】
上述した形態において、透過率曲線Ｃのピークの半値幅Ｗは、８０ｎｍを超えていても良い。また、上述した形態において、透過率曲線Ｃは、緑色光以外の可視光の波長域内にピークを有していても良い。たとえば、透過率曲線Ｃは、青色光の波長域内にピークを有していても良い。すなわち、透過率曲線Ｃは、４３５ｎｍ〜４８０ｎｍの波長域内にピークを有していても良い。さらに、上述した形態において、透過率曲線Ｃは、可視光の波長域内に２つ以上のピークを有していても良い。
【００８８】
上述した形態では、半遮光部材１１は、特定の波長域の光の吸収特性を持ったインクが混ぜ込まれた樹脂によって形成されることで、一部の波長域の光を透過するとともにその他の波長域の光を遮断しているが、半遮光部材１１は、可視光等の透過率が高い透光性の樹脂の表面に、光の吸収特性を持った被膜（コーティング）が蒸着等によって形成されることで、一部の波長域の光を透過するとともにその他の波長域の光を遮断しても良い。この場合には、透過率曲線Ｃのピークの半値幅Ｗを狭めやすくなるが、半遮光部材１１の製造コストが高くなる。
【００８９】
上述した形態において、連結部１１ｂは、可視光を遮断しても良い。また、上述した形態において、連結部１１ｂの可視光等の光の透過率が高くなっていても良い。また、上述した形態において、光学系６を通過した光が入射する結像光学系および撮像素子と、光学系７を通過した光が入射する結像光学系および撮像素子とが個別に設けられていても良い。さらに、上述した形態において、情報読取装置１は、ガラス板３に代えて、たとえば、アクリル板等の透明な樹脂板を備えていても良い。
【００９０】
上述した形態において、情報記録媒体２にＩＣチップが内蔵されていなくても良い。この場合には、ガラス板３の下側に配置されるアンテナおよびアンテナ１７が不要になる。また、上述した形態において、情報記録媒体２は、パスポート２ＡおよびＩＤカード２Ｂ以外の媒体であっても良い。たとえば、情報記録媒体２は、運転免許証であっても良い。さらに、上述した形態では、情報読取装置１は、手動式の読取装置であるが、本発明の構成が適用される情報読取装置は、情報記録媒体２の搬送機構を有する媒体搬送式の読取装置であっても良い。
【符号の説明】
【００９１】
１  情報読取装置
２  情報記録媒体
３  ガラス板（載置部材）
４  照明（第１の照明）
５  照明（第２の照明）
６  光学系（第１の光学系）
７  光学系（第２の光学系）
１０  筐体
１０ａ  媒体挿入口
１１  半遮光部材
１１Ａ  遮光位置
１１Ｂ  開放位置
１１ａ  半遮光部
１１ｃ  切欠き部
Ｃ  透過率曲線
Ｈ  操作者の手
Ｗ  ピークの半値幅
【図１】
2019080221.tif 000003
【図２】
2019080221.tif 000004
【図３】
2019080221.tif 000005
【図４】
2019080221.tif 000006
【図５】
2019080221.tif 000007
【図６】
2019080221.tif 000008
【図７】
2019080221.tif 000009
【図８】
2019080221.tif 000010
【図９】
2019080221.tif 000011
【図１０】
2019080221.tif 000012